(57)【要約】【課題】単体のブランクから形成されたばら詰め喫煙可能材料を収容する箱を提供する。【解決手段】単体のブランクから形成されたばら詰め喫煙可能材料（４）を収容する箱（２）（６２）は、ばら詰め喫煙可能材料（４）を収容してアクセス開口部を有するレセプタクル部分（６）と、レセプタクル部分（６）と一体のフラップ（８）と、フラップ（８）と一体でその側面に沿って少なくとも途中まで延びる１対の対向する直立壁（３０）とを含む。フラップ（８）は、フラップ（８）がレセプタクル部分（６）の周りで少なくとも部分的に折り畳まれて開口部の上に重なる折り畳み位置と、フラップ（８）がレセプタクル部分（６）から外向きに延びる拡張位置との間で移動可能である。箱（６２）は、一体型の閉鎖舌状体（６４）を更に含むことができ、これは、レセプタクル部分（６）に接続され、かつ閉鎖舌状体（６４）が開口部を覆ってレセプタクル部分（６）に収容されたばら詰め喫煙可能材料にアクセスすることができない閉鎖位置と、開口部を通じてレセプタクル部分（６）に収容されたばら詰め喫煙可能材料（４）にアクセス可能な開放位置との間で移動可能である。ばら詰め喫煙可能材料（４）は、手巻き（ＲＹＯ）又は手作り（ＭＹＯ）シガレットを形成するためのばら詰め細刻みタバコとすることができ、箱（２）（６２）は、従来型のシガレットパックと実質的に同じサイズ及び形状とすることができる。【選択図】図１
2008545596.tif 000002
【特許請求の範囲】
【請求項１】
単体ブランク（４０、５０）から形成したばら詰め喫煙可能材料（４）を収容し、かつ実質的に剛体の容器である箱（２）（６２）であって、
ばら詰め喫煙可能材料（４）を収容し、かつアクセス開口部を有するレセプタクル部分（６）と、
前記レセプタクル部分（６）と一体であり、かつフラップが該レセプタクル部分（６）の周りで少なくとも部分的に折り畳まれて前記開口部の上に重なる折り畳み位置と、フラップが該レセプタクル部分（６）から外向きに延びる拡張位置との間で移動可能なフラップ（８）と、
前記フラップ（８）と一体であり、かつその側面に沿って少なくとも途中まで延びる１対の対向する直立壁（３０）と、
を含むことを特徴とする箱。
【請求項２】
前記フラップ（８）は、前記レセプタクル部分（６）の第１の壁（１２）に接続され、かつ前記折り畳み位置で、該第１の壁（１２）にほぼ対向する、該レセプタクル部分（６）の第２の壁（１０）の少なくとも一部の上に重なっていることを特徴とする請求項１に記載の箱（２）（６２）。
【請求項３】
前記折り畳み位置で、前記フラップ（８）は、前記レセプタクル部分（６）の前記第２の壁（１０）と、前記開口部にほぼ対向する、該レセプタクル部分（６）の第３の壁（１４）の少なくとも一部との上に重なっていることを特徴とする請求項２に記載の箱（２）（６２）。
【請求項４】
前記折り畳み位置で、前記フラップ（８）は、前記レセプタクル部分（６）の前記第２の壁（１０）と、該レセプタクル部分（６）の前記第３の壁（１４）と、該レセプタクル部分（６）の前記第１の壁（１２）の少なくとも一部との上に重なっていることを特徴とする請求項３に記載の箱（２）（６２）。
【請求項５】
前記対向する直立壁（３０）は、前記フラップ（８）の前記側面に沿って前記レセプタクル部分（６）から延びていることを特徴とする請求項１から請求項４のいずれか１項に記載の箱（２）（６２）。
【請求項６】
前記対向する直立壁（３０）は、前記レセプタクル部分（６）に接続されていることを特徴とする請求項５に記載の箱（２）（６２）。
【請求項７】
前記折り畳み位置で前記フラップ（８）を保持するための保持手段（５２、５４）を更に含むことを特徴とする請求項１から請求項６のいずれか１項に記載の箱（２）（６２）。
【発明の詳細な説明】
【技術分野】
【０００１】
本発明は、単体のブランクから形成されたばら詰め喫煙可能材料を収容する箱に関する。
【背景技術】
【０００２】
手巻き（ＲＹＯ）及び手作り（ＭＹＯ）シガレットを作る人のための細刻みタバコは、従来より、再び閉じることができる可撓性のプラスチックポーチに入れて売られている。多くの場合、そのようなポーチは、それを閉じるためにポーチの周りに折り畳まれた又は包装された細長い可撓性フラップと共に提供された。細刻みタバコの公知のポーチは、一般的に、シガレットパックの小売り用途に使用される既存の自動販売機での小売り、又はシガレットパックの貯蔵及びディスプレイ用途に使用される既存の販売時点装備に含めるのには適していない。
【発明の開示】
【０００３】
本発明によれば、単体ブランクから形成したばら詰め喫煙可能材料を収容する箱が提供され、この箱は、ばら詰め喫煙可能材料を収容し、アクセス開口部を有するレセプタクル部分と、レセプタクル部分と一体であり、かつフラップがレセプタクル部分の周りで少なくとも部分的に折り畳まれて開口部の上に重なる折り畳み位置とフラップがレセプタクル部分から外向きに延びる拡張位置との間で移動可能なフラップと、フラップと一体でその側面に沿って少なくとも途中まで延びる１対の対向する直立壁とを含む。
【０００４】
また、本発明によれば、単体ブランクから形成したばら詰め喫煙可能材料を収容する箱が提供され、この箱は、ばら詰め喫煙可能材料を収容し、アクセス開口部を有するレセプタクル部分と、レセプタクル部分に接続されており、かつ閉鎖舌状体が開口部を覆ってレセプタクル部分に収容されたばら詰め喫煙可能材料にアクセス不能である閉鎖位置と開口部を通じてレセプタクル部分に収容されたばら詰め喫煙可能材料にアクセス可能な開放位置との間で移動可能な一体型閉鎖舌状体と、レセプタクル部分と一体であり、かつフラップがレセプタクル部分の周りで少なくとも部分的に折り畳まれて閉鎖舌状体及び開口部の上に重なる折り畳み位置とフラップがレセプタクル部分から外向きに延びる拡張位置との間で移動可能なフラップとを含む。
【０００５】
本明細書を通して、「箱」は、実質的に剛体の容器を意味するように使用される。そのような容器は、独立型であり、一度形成されると内容物の容器への挿入又は容器からの取り出しによって大きく変わらないサイズと形状とを有する。従来の硬いヒンジ式蓋のシガレットパックは、実質的に剛体でありかつ独立型である。対照的に、刻みタバコの公知のポーチは、実質的に剛体でもなく独立型でもない。
用語「ばら詰め喫煙可能材料」は、シガレット、シガー、又はシガリロ、又はその一部のような喫煙物品の状態に製作されていない喫煙材料を説明するのに使用され、以下に限定されるものではないが、シガレット、パイプタバコ、噛みタバコ、及び嗅ぎタバコを含む。好ましくは、ばら詰め喫煙可能材料は、ばら詰めタバコであり、より好ましくは巻きタバコであり、最も好ましくはばら詰め細刻みタバコである。ばら詰め喫煙可能材料が巻きタバコの時は、箱のレセプタクル部分は、好ましくは約２０ｇと約４０ｇの間のタバコを収容する。好ましくは、ばら詰め喫煙可能材料は、箱の中で包装されず、箱のレセプタクル部分と直接接触する。ばら詰め喫煙可能材料は、しかし、箱のレセプタクル部分内に収容されるポーチ、バッグ、又は他の包装紙の中に収容することができる。
【０００６】
拡張位置では、本発明の箱のフラップは、そのレセプタクル部分から取りだしたばら詰め喫煙可能材料を消費者が操作することができる面を都合良く提供する。例えば、消費者は、フラップによって提供された表面を使用して包装紙内の箱のレセプタクル部分から取りだしたばら詰め喫煙可能材料の装填物を巻き、手巻きのシガレットを形成することができる。代替的に、消費者は、フラップによって提供された表面を使用し、喫煙物品を形成するために予め作られたチューブ又はスピル内で、箱のレセプタクル部分から取りだしたばら詰め喫煙可能材料の装填物を嗅ぐことができる。拡張位置でフラップよって提供された表面にはまた、グラフィック、ロゴ、又は他の消費者用情報を都合良く印刷することができる。
【０００７】
更に、ばら詰め喫煙可能材料が、消費者によって操作された時にそれをフラップに保持するのを助けることによって、フラップの側面に沿って少なくとも途中まで延びる１対の対向する側壁は、フラップが拡張位置にある時にばら詰め喫煙可能材料の損失又は浪費を防止するのに都合良く役立つ。
好ましくは、対向する直立壁は、レセプタクル部分からフラップの側面に沿って延びる。より好ましくは、対向する直立壁は、レセプタクル部分に接続される。本発明の好ましい実施形態では、１対の対向する直立壁の形状と位置は、フラップが拡張位置にある時に、壁もまたレセプタクル部分からのばら詰め喫煙可能材料の損失を防止するのを有利に助けるようなものである。
【０００８】
本発明の好ましい実施形態では、フラップは、レセプタクル部分の第１の壁に接続され、折り畳み位置で、ほぼ第１の壁と対向するレセプタクル部分の第２の壁の少なくとも一部の上に重なる。より好ましくは、折り畳み位置で、フラップは、レセプタクル部分の第２の壁及びレセプタクル部分の第３の壁の少なくとも一部分の上に重なり、第３の壁は、ほぼ開口部と対向する。最も好ましくは、折り畳み位置で、フラップは、レセプタクル部分の第２の壁、レセプタクル部分の第３の壁、及びレセプタクル部分の第１の壁の少なくとも一部の上に重なる。
好ましくは、フラップは、２つ又はそれよりも多くのヒンジ接続したパネルを含む。
【０００９】
箱が形成される単体ブランクは、以下に限定されるものではないが、例えば、厚紙、板紙、プラスチック、及び／又は金属を含むあらゆる適切な材料で作ることができる。好ましくは、箱は、単体の板ブランクから、より好ましくは、単体のフィルム積層体ブランク、又は単体のアルミニウム箔積層体ブランクから形成される。箱を形成するために積層体ブランクを使用するのは、例えば、レセプタクル部分に収容されたばら詰め喫煙可能材料に存在する水分による箱のしみ／汚れを防止するのに都合良く役立たせることができる。更に、積層体ブランクの使用は、箱の外観を改善するのに使用することができる。例えば、箱が単体のフィルム積層体ブランクから形成される場合、フラップが拡張位置にある時に、例えば、メタリックな又は着色された外観を提供するために、コーティングの前にフィルムに金属を被覆するか又はオーバーオールインクで印刷することができる。
【００１０】
好ましくは、箱は、フラップを折り畳み位置に保持するための保持手段を更に含む。保持手段は、レセプタクル部分又はフラップの一方に設けられたタブとレセプタクル部分又はフラップの他方に設けられた協働スロットとを含むことができ、スロットは、フラップが折り畳み位置にある時にタブを受け入れるように配置される。代替的に、保持手段は、レセプタクル部分に設けられた第１の磁気領域と、フラップに設けられた整列した第２の磁気領域とを含み、それによってフラップは、第１の磁気領域と第２の磁気領域との間で磁力によって折り畳み位置に保持することができる。
【００１１】
更に別の実施形態では、保持手段は、粘着によってフラップを折り畳み位置に保持することができる。例えば、保持手段は、フラップの少なくとも一部及び／又はレセプタクル部分に適用され、折り畳み位置でレセプタクル部分にフラップを粘着する再シール可能な接着剤を含むことができる。代替的に、保持手段は、レセプタクル部分に提供された２つの非粘着手段のうちの第１のものと、フラップに提供された２つの非粘着手段のうちの第２のものとが互いに接触した時に粘着するだけの２つの非粘着手段を含むことができ、第１の非粘着手段と第２の非粘着手段とは、フラップが折り畳み位置にある時にそれらが互いに接触するように配置される。そのような「Ａ／Ｂ粘着技術」は、フラップが拡張位置にある時に、あらゆるばら詰め喫煙可能材料が第１又は第２の保持手段に貼り付くのを都合良く防止し、これは、フラップが折り畳み位置にある時に、保持手段の粘着力の減少をもたらす可能性があるであろう。
上に挙げた特定の例と同様に、例えば、フック及びループ型のファスナ、ゴムひも型のファスナ、又は非ゴムひも型のファスナのような多種多様な他の公知の保持手段も、折り畳み位置にフラップを保持するために採用することができることが認められるであろう。
【００１２】
本発明の好ましい実施形態では、箱は、更に、レセプタクル部分に接続され、かつ閉鎖舌状体がアクセス開口部を覆ってレセプタクル部分に収容されたばら詰め喫煙可能材料にアクセス不能な閉鎖位置と、レセプタクル部分に収容されたばら詰め喫煙材料がアクセス開口部を通じてアクセス可能な開放位置との間で移動可能である一体型の閉鎖舌状体を含む。
好ましくは、閉鎖舌状体は、ヒンジラインに沿ってレセプタクル部分にピボット式に接続される。
好ましくは、フラップは、レセプタクル部分の第１の壁に接続され、閉鎖舌状体は、レセプタクル部分の第２の壁に接続され、第２の壁は、ほぼ第１の壁と対向する。
【００１３】
レセプタクル部分のアクセス開口部を最初に覆う閉鎖舌状体を含めると、特に高温の乾燥した又は湿度が高い環境において箱を最初に開封する前に、レセプタクル部分に収容されたばら詰め喫煙可能材料の新鮮さを保存するのに有利に役立つ。
好ましくは、閉鎖舌状体は、レセプタクル部分に取外し可能に接続される。例えば、閉鎖舌状体は、穿孔のラインに沿ってレセプタクル部分に接続することができる。折り畳み位置から拡張位置までフラップを移動させることによって箱を開けた後に、消費者は、折り畳み位置から拡張位置まで閉鎖舌状体を移動させ、次に箱の残りの部分から閉鎖舌状体を取り外すために穿孔のラインに沿って引き裂くことができる。代替的に、消費者は、穿孔のラインに沿って引き裂いて箱の残りの部分から閉鎖舌状体を取り外すために、閉鎖位置にある閉鎖舌状体を押すことができる。取り外した状態で、閉鎖舌状体は、廃棄することができる。必要な時には、消費者は、フラップを拡張位置から折り畳み位置に元に移動させることによって箱を再度閉じる。
【００１４】
好ましくは閉鎖位置において、閉鎖舌状体の遠位部分は、アクセス開口部を通じてレセプタクル部分に挿入される。
閉鎖舌状体を閉鎖位置に保持する役に立つように、本発明の箱はまた、レセプタクル部分と一体の保持用タブを更に含むことができ、閉鎖舌状体の遠位部分は、レセプタクル部分の壁と閉鎖位置の保持用タブとの間に挿入される。
代替的に又は追加的に、移動可能な接着剤は、閉鎖舌状体を閉鎖位置に保持する役に立つように、閉鎖位置でレセプタクル部分に挿入される閉鎖舌状体の遠位部分に設けることができる。
【００１５】
ブランクの適切な選択により、本発明によるばら詰め喫煙可能材料を収容する箱は、多種多様な形状に形成することができる。例えば、本発明による箱は、矩形、六角形、八角形、楕円形、長楕円形、又は「スタジアム形」の断面形状にすることができ、用語「スタジアム形」は、１対の対向する湾曲した側面によって接合された１対の対向する平行な直線的側面を含む形状を説明するのに使用される。特に、本発明による箱は、あらゆる種類の従来のシガレットパックと同じ形状を有することができる。好ましくは、本発明による箱は、実質的に立方形である。より好ましくは、箱は、断面が矩形である。
箱が形成されるブランクのサイズを変えることによって、異なるサイズを有する本発明によるばら詰め喫煙可能材料を収容する箱を生産することができる。例えば、約５５ｍｍｘ約２２．５ｍｍｘ約８４ｍｍ、又は約５５ｍｍｘ約２２．５ｍｍｘ約１００ｍｍの本発明による立方形の箱を形成することができる。
【００１６】
好ましくは、本発明によるばら詰め喫煙可能材料を収容する箱は、公知の形式の従来のシガレットパックと実質的に同じサイズである。より好ましくは、本発明によるばら詰め喫煙可能材料を収容する箱は、公知の形式の従来のシガレットパックと実質的に同じサイズであり、実質的に同じ形状である。最も好ましくは、本発明による箱は、公知の形式のヒンジ式蓋のシガレットパックと実質的に同じサイズであり、実質的に同じ形状である。公知のシガレットパックと同じサイズと形状を有する本発明による箱は、シガレットパックを小売りするのに使用され、及び／又はシガレットパックと共に並べて既存の販売時点装備に保存又はディスプレイされる既存の自動販売機で都合良く小売りすることができることは認められるであろう。更に、適切な銘柄／商標包装をそのような外面に付加すると、従来のシガレットパックと同じ外観を有するばら詰め喫煙可能材料を収容する箱を都合良く生産する。
【００１７】
本発明による箱は、更に、シガレット紙、シガレット用ライター、巻き付け器、又は他のそのような品目を保存するために、１つ又はそれよりも多くのポケットをそのレセプタクル部分の中又は上に含むことができる。更に、接着剤のような手段により、顧客自身のシガレットを巻くためのシガレット紙のパックを本発明による箱のレセプタクル部分又はフラップに直接取り付けることができる。
必要とあれば、本発明による箱は、従来の方法でポリエチレン又はポリプロピレンのような透明な高分子フィルムを用いて収縮包装又はその他の方法で上包装することができる。
添付図面を参照して単に一例として本発明を以下に更に説明する。
【発明を実施するための最良の形態】
【００１８】
図に示す単体ブランクと箱は、共通していくつかの構成要素を有し、これらには、本明細書を通して同一の参照番号が与えられている。
図１に示す本発明の第１の実施形態によるばら詰めタバコ４を収容する箱２は、一般的にレセプタクル部分６とレセプタクル部分６に接続した延長フラップ８とを含む。レセプタクル部分６は、前面壁１０及び対向する平行な後面壁１２（図示せず）と、下端部に沿って前面壁１０及び後面壁１２を接続する底面壁１４（図示せず）と、それぞれ左手及び右手端部に沿って前面壁１０、後面壁１２、及び底面壁１４を接続する左側壁１６（図示せず）及び右側壁１８とを含む。レセプタクル部分６の壁１０、１２、１４、１６、１８は、従って、上部が開いた容器を形成し、その中にばら詰めタバコ４が収容される。レセプタクル部分６内に収容されたばら詰めタバコ４の取りだしを容易にするために、レセプタクル部分６の前面壁１０の上端部の中間に対向する傾斜側面を備えたノッチ２０が設けられる。
【００１９】
図１に示すように、拡張位置内で延長フラップ８がレセプタクル部分６の後面壁１２の上端部から外向きに延びる。その縦方向に、フラップ８は、横断するノッチライン（図１では見えない）に沿ってレセプタクル部分６の後面壁１２の上端部に接続したレセプタクル部分６の底面壁１４と略同一寸法の第１のパネル２２と、レセプタクル部分６の後面壁１２と略同一寸法の第２のパネル２４と、第１のパネル２２と略同一寸法の第３のパネル２６と、第２のパネル２４と略同一寸法の第４のパネル２８とを含む。第１のパネル２２、第２のパネル２４、第３のパネル２６、及び第４のパネル２８は、３つの更に別の横断する平行なノッチラインによって互いにフラップの縦方向で分離される。
【００２０】
１対の対向する直立壁３０は、１対の平行な縦方向のノッチラインに沿ってフラップ８の第２のパネル２４の縦方向の端部に接続される。図１に示すように、箱２のレセプタクル部分６に最も近い対向する直立壁３０の端部は、「Ｖ字形状の」自由端を有する第１の対の対向する折り畳み可能なウェブパネル３２によってレセプタクル部分６の側壁１６、１８に接続される。箱２のレセプタクル部分６から離れている対向する直立壁３０の端部は、外向きに湾曲した自由端を有する第２の対の対向する折り畳み可能なウェブパネル３４によってフラップ８の第３のパネル２６の縦方向の端部に接続される。
【００２１】
箱２を閉じるために、フラップ８は、図１に示す拡張位置から折り畳み位置まで移動し、そこでそれは、横断するノッチラインに関して第１のパネル２２、第２のパネル２４、第３のパネル２６、及び第４のパネル２８を折り畳むことによって箱２のレセプタクル部分６の周りで包装され、そのためにそれらは、レセプタクル部分のそれぞれ開口部上部、前面壁１０、底面壁１４、及び後面壁１２に重なり、フラップ８の対向する直立壁３０は、レセプタクル部分６の左側壁１６及び右側壁１８の上に重なる。第２の対の折り畳み可能なウェブパネル３４は、対向する直立壁３０の延長部を形成し、それが折り畳み位置で対向する直立壁３０をフラップ８の第３のパネル２６に滑らかに接続するのに役立つ。第１の対の折り畳み可能なウェブパネル３２の形状はまた、箱２を閉じるためにフラップ８を容易に折り畳むのに役立つ。
【００２２】
使用時には、フラップ８が図１に示す拡張位置にある時に、折り畳み位置でレセプタクル部分６のそれぞれ開口部上部及び前面壁１０、底面壁１４、及び後面壁１２の上に重なるフラップ８の第１のパネル２２、第２のパネル２４、第３のパネル２６、及び第４のパネル２８の上面は、顧客が例えばシガレット紙にタバコの装填物を巻く延長面又はトレイを提供し、顧客自身のシガレットの巻物を形成するか又はタバコをその他の方法で扱うことができる。フラップ８の第２のパネル２４に実質的に垂直な第１の対の対向する折り畳み可能なウェブパネル３２及び直立対向壁３０は、顧客による取扱い中にフラップ８のパネル２２、２４、２６、２８の上面にばら詰めタバコ４を保持するのに役立ち、そこで都合良くその損失又は浪費を防止する。
【００２３】
図１の箱２を形成することができる単体の積層体ブランク４０が図２に示されている。ブランク４０は、多種多様なパネルとタブとを含み、公知の方法で適切なノッチライン（図２の破線で示す）に関して折り畳まれ、例えば、粘着剤によって互いに固定された時に図１に示す箱２を形成するが、用語「ノッチライン」は、例えば、ブランクにノッチを入れる、折り目を付ける、穿孔を入れる、型押しする、又はブランクをその他の方法で圧縮、切断、及び／又は脆弱化することによって形成されたラインを示している。上述の図１の箱２の構成要素と同様の又は関連するブランク４０の構成要素に対して同一の参照番号が図２で使用される。
【００２４】
図１に示す箱を形成することができる代替の細長い単体の積層体ブランク５０が図３に示されている。上述の場合のように、上述の図１の箱２の構成要素と同様の又は関連するブランク５０の構成要素に対して同一の参照番号が図３で使用される。
図２に示すブランク４０と同様に、図３に示すブランク５０は、多種多様なパネルとタブとを含み、公知の方法で適切なノッチライン（図２の破線で示す）に関して折り畳まれ、例えば、粘着剤によって互いに固定された時に図１に示す箱２を形成する。しかし、図１に示す箱２のレセプタクル部分６を形成する図３に示すブランク５０のパネルは、図２に示すブランク４０のパネルとは異なるように配置され、しかし、図１に示す箱２のフラップ８を形成する図３に示すブランク５０のパネルは、図２に示すブランク４０のパネルと同じである。
【００２５】
それぞれ図２と図３に示す単体の積層体ブランク４０と５０の多種多様なパネルが折り畳まれて互いに固定され、図１の箱２を形成する正確な順序は、例えば、箱２を製造するのに使用される装置に応じて変えることができることが認められるであろう。例えば、図２に示すブランク４０は、図１に示す箱２を形成するために完全に組み立てる前に都合良く部分的に予め折り畳み、かつ予め接着することができる。図２を参照すると、予め折り畳みかつ予め接着する段階で、図１に示す箱２の左側壁１６を形成するブランク４０のパネル１６’と１６’’とが互いに接着され、図１に示す箱２の前面壁１０を形成するブランク４０のパネル１０が、図１に示す箱２の後面壁１６を形成するブランク４０のパネル１２の上に重なる容易に搬送可能な「半完成」箱を形成する。「半完成」箱の組立は、図１に示す箱２を形成するために、その後引き続き手作業によって完成させるか、又は、「半完成」箱が包装機に転送され、そこでブランク４０のパネル１０がブランク４０のパネル１２から持ち上げられ、ブランク４０の残りのパネルが必要に応じて折り畳まれて互いに固定され、箱２の組立を完成することができる。必要とあれば、両面粘着テープのストリップが、ブランク４０のパネル１４’に設けられ、箱２の組立時にパネル１４’をパネル１４’’に貼るために使用することができる。
【００２６】
本発明のばら詰め喫煙可能材料を収容する箱が形成される単体のブランクは、更に、フラップ８を折り畳み位置に保持するための保持手段を都合良く含むことができる。例えば、図３に示すように、自由端に隣接して図１に示す箱２のフラップ８の第４のパネル２８を形成するブランク５０のパネル２８に切り欠きタブ５２を設けることができる。ブランク５０の水平方向でその中心に整列した切り欠きタブ５２と実質的に同じ幅の協働スロット５４が、図１に示す箱２の後面壁１２を形成するブランク５０のパネル１２に設けられる（任意的な切り欠きタブ５２及びスロット５４は、図３に太い線で示される）。ブランク５０から箱２が組み立てられると、切り欠きタブ５２及びスロット５４の相対的な配向及び位置は、フラップ８が折り畳み位置にある時に、箱２のレセプタクル部分６の後面壁１２の上に重なるフラップ８の第４のパネル２８により、フラップ８を折り畳み位置に保持するように、パネル２８に設けられたパネル１２のスロット５４は、切り欠きタブ５２を受けることができる。
【００２７】
図３に示す協働スロット及び切り欠きタブの代わりに又はそれに追加して、フラップを折り畳み位置に保持するための他の適切な公知の保持手段を用いて、本発明によるばら詰め喫煙可能材料を包含する箱を提供することができることが認められることであろう。例えば、それぞれ図２と３に示すブランク４０と５０を参照すると、箱２のフラップ８の第４のパネル２８の内面を形成するパネル２８の面の少なくとも一部に、及び／又は箱２のレセプタクル部分６の後面壁１２の外面を形成するパネル１２の面に、再シール可能な接着剤（図示せず）が適用され、そのために箱２が組み立てられると、フラップ８は、折り畳み位置でレセプタクル部分６に開放可能に粘着することができる。代替的に、ボックス２が組み立てられると、フラップ８の第４のパネル２８と箱２のレセプタクル部分６の後面壁１２との間で磁力の手段によってフラップ８を折り畳み位置に保持するブランク４０及び５０のパネル２８とパネル１２に整列された磁気領域（図示せず）とを設けることができる。
【００２８】
本発明の第２の実施形態によるばら詰めタバコを収容する箱６２を図４と５に示すが、明確にする目的で、箱６２のレセプタクル部分６に収容されたばら詰めタバコは図４から省いている。図４に示す本発明の第２の実施形態による箱６２は、図１に示しかつ上述の本発明の第１の実施形態による箱の特徴の全てを有する。更に、本発明の第２の実施形態による箱６２は、レセプタクル部分６に接続した閉鎖舌状体６４と関連保持用タブ６６とを更に含む。
【００２９】
閉鎖舌状体６４は、レセプタクル部分６の前面壁１０の上端部から外向きに延び、同時にレセプタクル部分６の前面壁１０の上端部の中間に設けられ、かつ穿孔のライン（図４では見えない）に沿ってレセプタクル部分６の前面壁１０の上端部に取外し可能に接続したノッチ２０とほぼ同じサイズの第１の近位パネル６８（図４では見えない）と、レセプタクル部分６の底面壁１４とほぼ同じサイズの第２の中心パネル７０と、丸みを付けた自由コーナを有する第３の遠位パネル７２とを含む。閉鎖舌状体６４の第１のパネル２２、第２のパネル７０、及び第３のパネル７２は、横断する平行なノッチラインによって互いから分離される。保持用タブ６６は、穿孔のラインに沿ってレセプタクル部分６の右側壁１８の上端部に取外し可能に接続され、かつそこから外向きに延びる。
【００３０】
図４と５に示す本発明の第２の実施形態による箱は、図２と３に示す種類の単体の積層体ブランクから形成することができるが、このブランクは、公知の方法で適切なノッチに関して折り畳まれた時に、図４と５に示す閉鎖舌状体及び保持用タブを形成する付加的なパネル及びタブを含む。
単体のブランク５０から箱６２を組み立てる時に、閉鎖舌状体６４の第３の遠位パネル７２は、レセプタクル部分６の保持用タブ６６と後面壁１２との間で箱６２のレセプタクル部分６の中に挿入されるか又はその内側に押し込まれ、そのためにそれがレセプタクル部分６の後面壁１２と閉鎖舌状体６４の第２の中心パネル７０に寄り掛かり、レセプタクル部分の開口部上部を完全に覆う。この閉鎖位置での閉鎖舌状体６４により、フラップ８が、その折り畳み位置までレセプタクル部分の周りに包装され、箱６２の組立が完成する。
【００３１】
第３の遠位パネル７２をレセプタクル部分６内に保持するのに役立ち、それで閉鎖舌状体６４を閉鎖位置に保持する保持用タブ６６は省くこともできる。更に、保持用タブに加えて又は代替的に、閉鎖舌状体６４を閉鎖位置で保持するのに役立つように、閉鎖位置で容器６の後面壁１２の内面に寄りかかる第３の遠位パネル７２の外面に取外し可能な接着剤を設けることができる。
最初に箱６２を開くために、先に図１の本発明の第１の実施形態による箱２の場合に上述したように、消費者は、箱６２のレセプタクル部分６の周りに包装された折り畳み位置から図４に示す拡張位置までフラップ８を移動させる。消費者は、次に、閉鎖舌状体６４の第３の遠位パネル７２をレセプタクル部分から取り除くことにより、かつレセプタクル部分６からレセプタクル部分６の前面壁１０の上端部までその第１の近位パネル６８を接続する穿孔のラインに関して閉鎖舌状体を外向きに折り畳むことにより、上述の最初の閉鎖位置から図３に示す開放位置まで閉鎖舌状体６４を移動させる。
消費者は、次に、閉鎖舌状体６４及び保持用タブ６６を、図５に示すレセプタクル部分のそれぞれ前面壁１０及び右側壁１８に接続する穿孔のラインに沿って引き裂くことによって、箱６２のレセプタクル部分６から閉鎖舌状体６４及び／又は保持用タブ６６を取り外すことができる。取り外された閉鎖舌状体６４及び保持用タブ６６は、次に廃棄される。
【００３２】
本発明は、フラップが折り畳み位置にある時に、箱のレセプタクル部分６のそれぞれ開口部上部、前面壁１０、底面壁１４、及び後面壁１２の上に重なる第１のパネル２２、第２のパネル２４、第３のパネル２６、及び第４のパネル２８を有するフラップ８を含む箱に関連して上に例示されたが、本発明によるばら詰め喫煙可能材料を収容する箱は、より多い又はより少ない数のパネルを有するフラップを含むことができる。例えば、フラップは、フラップが折り畳み位置にある時に、箱のレセプタクル部分のそれぞれ開口部上部及び前面壁の上に重なる第１のパネル及び第２のパネルだけを含むことができる。
同様に、図１と図２に示す本発明の第１及び第２の実施形態による箱は、それぞれ１対の対向する直立壁３０と第１の対３２及び第２の対３４の折り畳み可能なウェブパネルを有するフラップ８を含むが、本発明のばら詰め喫煙可能材料を収容する箱は、これらのウェブパネル又は壁の１つ又はそれよりも多くが省かれたフラップを含むことができる。
【００３３】
更に、本発明は、直角な端部を有するレセプタクル部分を備えた箱に関連して例示したが、本発明によるばら詰め喫煙可能材料を収容する箱は、例えば、１つ又はそれよりも多くの丸みを付けた又は傾斜を付けた端部を有することができることが認められるであろう。例えば、公知の方法でノッチを入れることにより、本発明による「丸みを付けたコーナ」のばら詰め喫煙可能材料を収容する箱が形成される単体のブランクを製造することができる。
【００３４】
本発明によるばら詰め喫煙可能材料を収容する箱の外面は、従来的に細刻みタバコのポーチ及び／又はシガレットパックに見出される例えばグラフィック、銘柄のロゴ、健康被害の警告、及び他の消費者用情報を掲載することができることもまた認められるであろう。
先の説明から、本発明が、従来のシガレットパックの外観、形状、及び感触、並びに細刻みタバコのための公知のポーチの機能性を有するばら詰め喫煙可能材料を収容する箱を提供することが分るであろう。
【図面の簡単な説明】
【００３５】
【図１】拡張位置にフラップを備えた本発明の第１の実施形態によるばら詰め細刻みタバコを収容する箱を示す図である。
【図２】図１の箱を形成するための単体ブランクの平面図である。
【図３】図１の箱を形成するための代替の単体ブランクの平面図である。
【図４】拡張位置にフラップと開放位置に閉鎖舌状体とを備えた本発明の第１の実施形態によるばら詰め細刻みタバコを収容する箱を示す図である。
【図５】レセプタクル部分から取り外された閉鎖舌状体を備えた図４の箱を示す図である。
【符号の説明】
【００３６】
２  箱
４  ばら詰め喫煙可能材料
６  レセプタクル部分
８  フラップ
３０  直立壁
【図１】
2008545596.tif 000003
【図２】
2008545596.tif 000004
【図３】
2008545596.tif 000005
【図４】
2008545596.tif 000006
【図５】
2008545596.tif 000007
【国際調査報告】
2008545596.tif 000008
2008545596.tif 000009
2008545596.tif 000010
2008545596.tif 000011